(57)【要約】【課題】  利用者の体形および好みに合った型紙を自動的に作成することができる型紙データ生成システムを提供する。【解決手段】  利用者が使用するクライアント端末１と、服飾デザインを選択するための服飾デザイン選択画面および選択した服飾デザインの着物寸法を任意の寸法に修正するための着物寸法入力画面をクライアント端末１に提供するＷｅｂサーバ２と、上記服飾デザイン選択画面上で上記利用者が選択した服飾デザインに関する標準の型紙データを、データベースサーバ４に予め登録されている上記利用者のボディサイズに関する採寸データおよび上記着物寸法入力画面上で上記利用者が入力した着物寸法修正データに基づいて修正する型紙データ生成サーバ３とを有する。【選択図】図１
2006139688.tif 000002
【特許請求の範囲】
【請求項１】
利用者が使用するクライアント端末と、
服飾デザインを選択するための服飾デザイン選択画面および選択した服飾デザインの着物寸法を任意の寸法に修正するための着物寸法入力画面を前記クライアント端末に提供するサーバとを有し、
前記サーバは、予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを前記クライアント端末に送信する、服飾デザインの型紙作成システム。
【請求項２】
前記サーバは、
前記採寸データが前記利用者を識別可能な利用者識別情報と関連付けられて蓄積される第１のデータベースと、
前記服飾デザイン選択画面に表示される複数の服飾デザインに関する標準の型紙データがそれぞれの服飾デザインを識別可能な服飾デザイン識別情報と関連付けられて格納された第２のデータベースと、
前記利用者の識別情報および前記利用者が前記選択画面上で選択した服飾デザインの識別情報を前記クライアント端末から受信すると、該受信した利用者の識別情報に基づいて前記第１のデータベースから該当する採寸データを取得するとともに、該受信した服飾デザインの識別情報に基づいて前記第２のデータベースから該当する標準の型紙データを取得し、該取得した標準の型紙データを、該取得した採寸データおよび前記着物寸法入力画面上で前記利用者が入力した着物寸法修正データに基づいて修正する型紙データ生成部とを有する、請求項１に記載の服飾デザインの型紙作成システム。
【請求項３】
前記サーバは、前記採寸データを入力するための採寸データ入力画面を前記クライアント端末に提供するとともに、前記利用者の識別情報および前記利用者が前記採寸データ入力画面上で入力した採寸データを前記クライアント端末から受信すると、該受信した利用者の識別情報および採寸データを関連付けて前記第１のデータベースに登録する、請求項２に記載の服飾デザインの型紙作成システム。
【請求項４】
前記サーバは、前記修正した型紙データを印刷する際の用紙サイズを指定するための用紙サイズ指定画面を前記クライアント端末に提供するとともに、前記利用者が前記用紙サイズ指定画面上で指定した用紙サイズで前記修正した型紙データを分割して前記クライアント端末に送信する、請求項１から３のいずれか１項に記載の服飾デザインの型紙作成システム。
【請求項５】
利用者が使用するクライアント端末がネットワークを介して接続されるサーバシステムであって、
服飾デザインを選択するための服飾デザイン選択画面および選択した服飾デザインの着物寸法を任意の寸法に修正するための着物寸法入力画面を前記クライアント端末に提供するＷｅｂサーバと、
予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを、前記Ｗｅｂサーバを介して前記クライアント端末に送信する型紙データ生成サーバとを有するサーバシステム。
【請求項６】
前記採寸データが前記利用者を識別可能な利用者識別情報と関連付けられて蓄積される第１のデータベースおよび前記服飾デザイン選択画面に表示される複数の服飾デザインに関する標準の型紙データがそれぞれの服飾デザインを識別可能な服飾デザイン識別情報と関連付けられて格納された第２のデータベースを備えるデータベースサーバをさらに有し、
前記データベースサーバは、前記利用者の識別情報および前記利用者が前記選択画面上で選択した服飾デザインの識別情報を、前記Ｗｅｂサーバを介して前記クライアント端末から受信すると、該受信した利用者の識別情報に基づいて前記第１のデータベースから該当する採寸データを取得するとともに、該受信した服飾デザインの識別情報に基づいて前記第２のデータベースから該当する標準の型紙データを取得し、該取得した採寸データおよび標準の型紙データを前記型紙データ生成サーバに供給し、
前記型紙データ生成サーバは、前記データベースサーバから供給された標準の型紙データを、前記データベースサーバから供給された採寸データおよび前記着物寸法入力画面上で前記利用者が入力した着物寸法修正データに基づいて修正する、請求項５に記載のサーバシステム。
【請求項７】
前記Ｗｅｂサーバは、前記採寸データを入力するための採寸データ入力画面を前記クライアント端末に提供し、
前記データベースサーバは、前記利用者の識別情報および前記利用者が前記採寸データ入力画面上で入力した採寸データを、前記Ｗｅｂサーバを介して前記クライアント端末から受信すると、該受信した利用者の識別情報および採寸データを関連付けて前記第１のデータベースに登録する、請求項６に記載のサーバシステム。
【請求項８】
前記Ｗｅｂサーバは、前記修正した型紙データを印刷する際の用紙サイズを指定するための用紙サイズ指定画面を前記クライアント端末に提供し、
前記型紙データ生成サーバは、前記利用者が前記用紙サイズ指定画面上で指定した用紙サイズで前記修正した型紙データを分割して前記クライアント端末に送信する、請求項５から７のいずれか１項に記載のサーバシステム。
【請求項９】
利用者が使用するクライアント端末がネットワークを介して接続されるサーバによって行われる、服飾デザインの型紙データ生成方法であって、
服飾デザインを選択するための服飾デザイン選択画面および選択した服飾デザインの着物寸法を任意の寸法に修正するための着物寸法入力画面を前記クライアント端末に提供する第１のステップと、
予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正する第２のステップとを含む、服飾デザインの型紙データ生成方法。
【請求項１０】
前記第２のステップは、
前記採寸データが前記利用者を識別可能な利用者識別情報と関連付けられて蓄積された第１のデータベースを参照して、前記クライアント端末から受信した前記利用者の識別情報から該当する採寸データを取得するステップと、
前記服飾デザイン選択画面に表示される複数の服飾デザインに関する標準の型紙データがそれぞれの服飾デザインを識別可能な服飾デザイン識別情報と関連付けられて格納された第２のデータベースを参照して、前記クライアント端末から受信した前記利用者が前記選択画面上で選択した服飾デザインの識別情報をから該当する標準の型紙データを取得するステップとを含む、請求項９に記載の服飾デザインの型紙データ生成方法。
【請求項１１】
前記採寸データを入力するための採寸データ入力画面を前記クライアント端末に提供するステップと、
前記クライアント端末から受信した、前記利用者の識別情報および前記利用者が前記採寸データ入力画面上で入力した採寸データを、それぞれ関連付けて前記第１のデータベースに登録するステップとをさらに含む、請求項１０に記載の服飾デザインの型紙データ生成方法。
【請求項１２】
前記修正した型紙データを印刷する際の用紙サイズを指定するための用紙サイズ指定画面を前記クライアント端末に提供するステップと、
前記利用者が前記用紙サイズ指定画面上で指定した用紙サイズで前記修正した型紙データを分割して前記クライアント端末に送信するステップとをさらに含む、請求項９から１１のいずれか１項に記載の服飾デザインの型紙データ生成方法。
【請求項１３】
利用者が使用するクライアント端末がネットワークを介して接続されるサーバに用いられるプログラムであって、
服飾デザインを選択するための服飾デザイン選択画面および選択した服飾デザインの着物寸法を任意の寸法に修正するための着物寸法入力画面を前記クライアント端末に提供する処理と、
予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを前記クライアント端末に送信する処理とを前記サーバのコンピュータに実行させるプログラム。
【発明の詳細な説明】
【技術分野】
【０００１】
本発明は、服飾デザインの型紙を作成するシステムおよび方法に関する。
【背景技術】
【０００２】
服飾を手作りすることを趣味とする人のために、服飾デザインの型紙が様々な形態で提供されている。この種の服飾デザインの型紙は、通常、既定のサイズにあわせた標準の型紙であるため、実際に服飾を手作りする場合は、作成者自身が体形や好みに合わせて標準の型紙を修正する必要があり、手間がかかる。
【０００３】
そこで、着用者の体形に適した型紙を自動的に作成するシステムが提案されている（特許文献１参照）。このシステムでは、利用者が、自身のボディサイズを入力すると、その入力されたボディサイズに適した型紙が自動的に作成される。
【０００４】
上記の他、型紙作成の元となる原型（基準体形の着用者向けに作成されたパーツ）を採寸データにあわせて自動修正する装置も提案されている（特許文献２参照）。この装置は、販売店に設置されるものであって、店員が、予め設定された採寸項目（バスト、ヒップ、ウェストなど）について客の体を実際に測定した採寸データを入力すると、その入力された採寸データに基づいて型紙作成の元となる原型が修正されるようになっている。
【特許文献１】特開２００２−１６５５９号公報
【特許文献２】特開平１１−１８１４号公報
【発明の開示】
【発明が解決しようとする課題】
【０００５】
利用者によっては、自身の体形に適したサイズの型紙を、さらに、好みの着物寸法（着丈や床上り寸法など）となるように修正したい場合がある。特許文献１、２に記載のものはいずれも、利用者の体形に合うように型紙を修正するものであり、そのような好みの着物寸法への修正を行うとは困難である。
【０００６】
本発明の目的は、上記問題を解決し、利用者の体形および好みに合った型紙を自動的に作成することができる、型紙データ生成システム、サーバシステム、型紙データ生成方法およびプログラムを提供することにある。
【課題を解決するための手段】
【０００７】
上記目的を達成するため、本発明の型紙データ生成システムは、利用者が使用するクライアント端末と、服飾デザインを選択するための服飾デザイン選択画面および選択した服飾デザインの着物寸法を任意の寸法に修正するための着物寸法入力画面を前記クライアント端末に提供するサーバとを有し、前記サーバが、予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを前記クライアント端末に送信することを特徴とする。
【０００８】
本発明のサーバシステムは、利用者が使用するクライアント端末がネットワークを介して接続されるサーバシステムであって、服飾デザインを選択するための服飾デザイン選択画面および選択した服飾デザインの着物寸法を任意の寸法に修正するための着物寸法入力画面を前記クライアント端末に提供するＷｅｂサーバと、予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを、前記Ｗｅｂサーバを介して前記クライアント端末に送信する型紙データ生成サーバとを有することを特徴とする。
【０００９】
本発明の服飾デザインの型紙データ生成方法は、利用者が使用するクライアント端末がネットワークを介して接続されるサーバによって行われる、服飾デザインの型紙データ生成方法であって、服飾デザインを選択するための服飾デザイン選択画面および選択した服飾デザインの着物寸法を任意の寸法に修正するための着物寸法入力画面を前記クライアント端末に提供する第１のステップと、予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正する第２のステップとを含むことを特徴とする。
【００１０】
本発明のプログラムは、利用者が使用するクライアント端末がネットワークを介して接続されるサーバに用いられるプログラムであって、服飾デザインを選択するための服飾デザイン選択画面および選択した服飾デザインの着物寸法を任意の寸法に修正するための着物寸法入力画面を前記クライアント端末に提供する処理と、予め登録されている前記利用者のボディサイズに関する採寸データおよび前記着物寸法入力画面上で前記利用者が入力した着物寸法修正データに基づいて、前記服飾デザイン選択画面上で前記利用者が選択した服飾デザインに関する標準の型紙データを修正し、該修正した型紙データを前記クライアント端末に送信する処理とを前記サーバのコンピュータに実行させることを特徴とする。
【発明の効果】
【００１１】
上記のとおりの本発明では、利用者は、自分の体形に関する採寸データをサーバに予め登録しておけば、服飾デザイン選択画面上で所望の服飾デザインを選択するだけで、自分の体形に合った型紙データがサーバにて自動的に作成される。また、選択した服飾デザインについて、服飾デザイン選択画面上で好みの着物寸法を入力すれば、自分の体形に合った、好みの寸法の型紙データがサーバにて自動的に作成される。このように、本発明によれば、利用者は、画面上での簡単な入力操作のみで、自分の体形および好みに合った型紙データを簡単に取得することができる。
【発明を実施するための最良の形態】
【００１２】
次に、本発明の実施形態について図面を参照して説明する。
【００１３】
図１は、本発明の一実施形態である服飾デザインの型紙作成システムの概略構成を示すブロック図である。この型紙作成システムは、クライアント端末１と、このクライアント端末１がインターネットに代表されるネットワーク５を介して接続されるＷｅｂサーバ２と、このＷｅｂサーバ２とＬＡＮ（Local Area Network）６を介して接続された型紙データ生成サーバ３およびデータベースサーバ４とからなるコンピュータネットワークである。
【００１４】
クライアント端末１は利用者が所持する端末であって、通信機能を備えた、プログラムにより動作するコンピュータシステム、具体的には、パーソナルコンピュータより構成される。図２に、クライアント端末１の概略構成を示す。
【００１５】
図２を参照すると、クライアント端末１は、プログラムやデータなどを蓄積する記憶部１１と、キーボードやマウスなどの入力部１２、ＣＲＴやＬＣＤなどの表示部１３と、ネットワーク５を介してＷｅｂサーバ２との間で相互通信を行うことが可能なモデムなどの通信部１５と、プリンタ１５と、入力部１２からの入力を受け付けて表示部１３、通信部１４、プリンタ１５の各部における動作を制御する制御部１０とを有する。
【００１６】
クライアント端末１では、制御部１０による型紙作成のための処理が実行される。具体的には、制御部１０は、Ｗｅｂサーバ２から通信部１５を通じて受信した服飾デザインの型紙作成画面情報に基づいて表示部１３にて型紙作成画面を表示させる。また、制御部１０は、利用者が、入力部１２を通じて、その表示された型紙作成画面上で、型紙作成に必要なデータの選択や入力を行うと、その選択または入力されたデータを、通信部１５を通じてＷｅｂサーバ２へ送信する。さらに、制御部１０は、Ｗｅｂサーバ２から通信部１５を通じて受信した型紙データを記憶部１１に格納するとともに、その格納された型紙データをプリンタ１４にて印刷させる。
【００１７】
型紙作成用画面は、服飾デザイン選択画面、採寸データ登録／更新画面、着物寸法修正用データ入力画面など複数の画面から構成されており、ユーザは、入力部１２を通じて、これら画面を適宜切り替えながらデータの入力および選択を行うことができる。これら画面の表示は、インターネットでよく知られているブラウザを用いた閲覧機能により実現される。
【００１８】
服飾デザイン選択画面では、予め用意された複数の服飾デザインの画像が表示され、利用者は、入力部１２を通じて、その表示された画像から所望の画像を選択することができる。利用者が、服飾デザインの画像を選択した場合には、その選択情報（どの画像を選択したかを示す情報）が、通信部１５を通じてＷｅｂサーバ２に送信される。
【００１９】
採寸データ登録／更新画面には、採寸データに関する複数の寸法の入力項目が用意されており、利用者は、入力部１２を通じて入力項目ごとに寸法を入力することができる。入力したデータは、通信部１５を通じてＷｅｂサーバ２に送信される。ここで、採寸データは、標準の型紙を利用者の体形に合った型紙に修正するのに必要なデータであって、具体的には、背丈、バスト、ウェスト、ヒップ、脇丈、股下などの利用者自身のボディサイズに関するデータである。
【００２０】
着物寸法修正用データ入力画面には、着物寸法修正用データに関する複数の寸法の入力項目が用意されており、利用者は、入力部１２を通じて各寸法を入力することができる。入力したデータは、通信部１５を通じてＷｅｂサーバ２に送信される。ここで、着物寸法修正用データは、利用者の体形に合うように修正した型紙を好みの着物寸法に修正するためのデータであって、具体的には、着丈や床上り寸法などの着物寸法である。
【００２１】
Ｗｅｂサーバ２、型紙データ生成サーバ３およびデータベースサーバ４のそれぞれは、当該システムの運用者によって管理されるものであって、通信機能を備えた、プログラムにより動作するコンピュータシステムより構成される。
【００２２】
図３に、Ｗｅｂサーバ２の概略構成を示す。このＷｅｂサーバ２は、型紙作成のためのプログラムやデータ（服飾デザインの型紙作成画面情報を含む）などを蓄積する記憶部２１と、キーボードやマウスなどの入力部２２、ＣＲＴやＬＣＤなどの表示部２３と、ネットワーク５を介してクライアント端末１との間で相互通信を行うことが可能な通信部２５と、ＬＡＮ６を介して型紙データ生成サーバ３およびデータベースサーバ４との間で相互通信を行うことが可能な通信部２６と、入力部２２からの入力を受け付けて表示部２３、通信部２４、２５の各部における動作を制御する制御部２０とを有する。
【００２３】
Ｗｅｂサーバ２では、制御部２０が、アクセスを受け付けたクライアント端末１に対して、通信部２４を通じて、記憶部２１に格納されている服飾デザインの型紙作成画面情報を提供する。また、制御部２０は、型紙作成画面上で利用者が選択または入力したデータを、クライアント端末１から通信部２４を通じて受信するとともに、該受信したデータを、通信部２５を通じて、型紙データ生成サーバ３およびデータベースサーバ４に供給する。さらに、制御部２０は、型紙データ生成サーバ３から通信部２５を通じて供給される型紙データを、通信部２５を通じてクライアント端末１に送信する。
【００２４】
図４に、データベースサーバ４の概略構成を示す。このデータベースサーバ４は、利用者が提供する採寸データが利用者別に格納されるデータベース４１ａと、服飾デザイン選択画面にて表示される服飾デザインのそれぞれについて、規定のサイズに従って作成した標準の型紙データが、服飾デザイン別に格納されたデータベース４１ｂと、これらデータベース４１ａ、４１ｂを管理するための管理部４２と、ＬＡＮ６を介してＷｅｂサーバ２および型紙データ生成サーバ３との間で相互通信を行うことが可能な通信部４３とを有する。
【００２５】
管理部４２は、クライアント端末１が送信した採寸データ（ボディサイズに関するデータ）をＷｅｂサーバ２から通信部４３を通じて受信するとともに、該受信した採寸データをデータベース４１ａに格納する。データベース４１ａは、採寸データが利用者識別情報と関連付けられて格納されるようになっており、利用者識別情報を検索キーとして、採寸データの更新や読み出しを行うことが可能である。データベース４１ｂは、標準の型紙データが服飾デザインを特定可能な情報（服飾デザイン識別情報）と関連付けられて格納されるようになっており、服飾デザイン識別情報を検索キーとして、標準の型紙データの更新や読み出しを行うことが可能である。
【００２６】
図５に、型紙データ生成サーバ３の概略構成を示す。この型紙データ生成サーバ３は、型紙生成を要求した利用者のボディサイズに適した型紙データを生成するとともに、その生成した型紙データを利用者の好みの着物寸法に応じて修正する型紙データ生成／修正部３１と、ＬＡＮ６を介してＷｅｂサーバ２およびデータベースサーバ４との間で相互通信を行うことが可能な通信部３２とを有する。
【００２７】
型紙データ生成サーバ３では、型紙データ生成／修正部３１が、型紙生成を要求した利用者の型紙データを生成する。型紙データの生成において、型紙データ生成／修正部３１は、通信部３２を通じて、データベースサーバ４から利用者が選択した服飾デザインの標準の型紙データおよび利用者の採寸データ（ボディサイズに関するデータ）を取得するとともに、該取得した標準の型紙データを該取得した採寸データに基づいて利用者の体形に適するように修正する。また、型紙データ生成／修正部３１は、クライアント端末１が送信した着物寸法修正用データ（好みの着物寸法）をＷｅｂサーバ２から通信部３２を通じて受信するとともに、該受信した着物寸法修正用データに基づいて、利用者の体形に適するように修正した型紙データをさらに修正し、該修正した型紙データを通信部３２からＷｅｂサーバ２に供給する。
【００２８】
次に、本実施形態の服飾デザインの型紙作成システムにおいて行われる型紙データ作成処理について説明する。この型紙データ作成処理は、採寸データ登録／更新処理および型紙データ作成／修正処理の２つからなる。
【００２９】
（１）採寸データ登録／更新処理：
（１ａ）採寸データ登録処理：
採寸データ登録処理は、利用者が、自身の採寸データをデータベースサーバ４に新規登録する処理である。図６に、採寸データ登録処理の一手順を示す。以下、図１および図６を参照して採寸データ登録処理を説明する。
【００３０】
利用者が、クライアント端末１上でＷｅｂサーバ２にアクセスするための入力操作を行うと、クライアント端末１が、Ｗｅｂサーバ２に対して、アクセス要求を送信する（ステップ１００）。アクセス要求を受信したＷｅｂサーバ２は、ＩＤおよびパスワードの入力画面をクライアント端末１に提供する（ステップ１０１）。クライアント端末１では、ＩＤおよびパスワードの入力画面が表示される（ステップ１０２）。
【００３１】
クライアント端末１にて入力画面が表示され、利用者が、その表示された入力画面上で、予め与えられているＩＤおよびパスワードを入力すると、クライアント端末１は、その入力されたＩＤおよびパスワードをＷｅｂサーバ２に送信する（ステップ１０３）。Ｗｅｂサーバ２は、クライアント端末１からＩＤおよびパスワードを受信すると、その受信したＩＤおよびパスワードに基づいて利用者の正当性を確認するための認証処理を実行する（ステップ１０４）。この認証処理は、周知の処理であるので、ここでは、その詳細な説明は省略する。
【００３２】
正当な利用者である場合は、Ｗｅｂサーバ２は、クライアント端末１に対して、型紙作成画面（メニュー画面）を提供する（ステップ１０５）。クライアント端末１では、Ｗｅｂサーバ２から受信したメニュー画面が表示される（ステップ１０６）。なお、正当な利用者でない場合は、Ｗｅｂサーバ２からクライアント端末１にその旨の通知がなされる。
【００３３】
クライアント端末１にてメニュー画面が表示され、利用者が、その表示されたメニュー画面上で、採寸データ登録／更新画面を選択すると、クライアント端末１は、その選択画面の送信要求をＷｅｂサーバ２に送信する（ステップ１０７）。Ｗｅｂサーバ２は、クライアント端末１からの選択画面送信要求に応じて採寸データ登録／更新画面をクライアント端末１に提供する（ステップ１０８）。
【００３４】
クライアント端末１では、Ｗｅｂサーバ２から受信した採寸データ登録／更新画面が表示される（ステップ１０９）。採寸データ登録／更新画面には、登録すべき採寸データに関する項目が用意されており、利用者は、その項目毎に、予め測定してある自身の採寸データを入力する。採寸データの入力後、利用者が、採寸データ登録／更新画面上に用意された「登録」ボタンを押下すると、クライアント端末１は、利用者が採寸データ登録／更新画面上で入力した登録用の採寸データをＷｅｂサーバ２に送信する（ステップ１１０）。
【００３５】
Ｗｅｂサーバ２は、クライアント端末１から登録用の採寸データを受信すると、この受信した登録用の採寸データをステップ１０３で受信した利用者のＩＤと一緒にデータベースサーバ４に送信する（ステップ１１１）。データベースサーバ４は、Ｗｅｂサーバ２から受信した登録用の採寸データおよびＩＤをデータベース４１ａ（図４参照）に登録する（ステップ１１２）。この登録において、採寸データは、利用者の識別情報であるＩＤと関連付けられてデータベース４１ａに格納される。
【００３６】
登録完了後、データベースサーバ４は、登録完了通知をＷｅｂサーバ２へ送信する（ステップ１１３）。データベースサーバ４から登録完了通知を受信したＷｅｂサーバ２は、クライアント端末１に対して、登録完了通知を送信する（ステップ１１４）。クライアント端末１では、Ｗｅｂサーバ２からの登録完了通知に基づくメッセージが表示され、利用者は、その表示から、登録が正常に完了したことを認識することができる。
【００３７】
（１ｂ）採寸データ更新処理：
採寸データ更新処理は、上記の「（１ａ）採寸データ登録処理」で登録した採寸データを変更するための処理である。
【００３８】
図６に示したステップ１００〜１０９の手順によりクライアント端末１に登録／更新画面が表示される。採寸データ登録／更新画面には、登録すべき採寸データに関する項目の他に、更新すべき採寸データに関する項目が用意されており、利用者は、その項目毎に、更新したい採寸データを入力する。採寸データの入力後、利用者が、採寸データ登録／更新画面上に用意された「更新」ボタンを押下すると、クライアント端末１は、利用者が採寸データ登録／更新画面上で入力した更新用の採寸データをＷｅｂサーバ２に送信する。
【００３９】
Ｗｅｂサーバ２は、クライアント端末１から更新用の採寸データを受信すると、この受信した更新用の採寸データをステップ１０３で受信した利用者のＩＤと一緒にデータベースサーバ４に送信する。データベースサーバ４は、Ｗｅｂサーバ２から受信したＩＤを検索キーとしてデータベース４１ａ内を検索し、該当する採寸データをＷｅｂサーバ２から受信した更新用の採寸データに基づいて更新する。
【００４０】
更新完了後、データベースサーバ４は、更新完了通知をＷｅｂサーバ２へ送信する。データベースサーバ４から更新完了通知を受信したＷｅｂサーバ２は、クライアント端末１に対して、更新完了通知を送信する。クライアント端末１では、Ｗｅｂサーバ２からの更新完了通知に基づくメッセージが表示され、利用者は、その表示から、更新が正常に完了したことを認識することができる。
【００４１】
上述した採寸データ登録／更新処理によれば、利用者は、自分が所持している端末上で、自身のボディサイズに関する採寸データの登録／更新を自由に行うことができる。
【００４２】
（２）型紙データ作成／修正処理：
図７に、型紙データ作成／修正処理の一手順を示す。以下、図１、図６および図７を参照して型紙データ作成／修正処理を説明する。
【００４３】
図６に示したステップ１００〜１０６の手順により、クライアント端末１にメニュー画面が表示される。クライアント端末１にてメニュー画面が表示され、利用者が、その表示されたメニュー画面上で服飾デザイン選択画面の選択ボタンを押下すると、クライアント端末１は、その画面情報の送信要求をＷｅｂサーバ２に送信する（ステップ２００）。Ｗｅｂサーバ２は、クライアント端末１からの画面情報送信要求に応じて服飾デザイン選択画面情報をクライアント端末１に提供する（ステップ２０１）。
【００４４】
クライアント端末１では、Ｗｅｂサーバ２から受信した服飾デザイン選択画面情報に基づき、服飾デザイン選択画面が表示される（ステップ２０２）。服飾デザイン選択画面には、複数の服飾デザインに関する選択項目（画像を含む）が用意されている。利用者が、その選択項目から所望のデザインを選択すると、クライアント端末１は、利用者が選択した服飾デザインに関する情報（服飾デザイン選択情報）をＷｅｂサーバ２に送信する（ステップ２０３）。
【００４５】
服飾デザイン選択情報の送信後、再びメニュー画面が表示され（ステップ２０４）、利用者が、その表示されたメニュー画面上で着物寸法修正用データ入力画面の選択ボタンを押下すると、クライアント端末１は、その画面情報の送信要求をＷｅｂサーバ２に送信する（ステップ２０５）。Ｗｅｂサーバ２は、クライアント端末１からの画面情報送信要求に応じて、着物寸法修正用データ入力画面をクライアント端末１に提供する（ステップ２０６）。クライアント端末１は、Ｗｅｂサーバ２から受信した着物寸法修正用データ入力画面を表示する（ステップ２０７）。
【００４６】
着物寸法修正用データ入力画面には、着物寸法修正用データに関する複数の寸法の入力項目が用意されている。利用者が、着物寸法修正用データ入力画面上で、所望の寸法項目にデータを入力し、型紙作成依頼のための決定ボタンを押下すると、クライアント端末１は、その入力したデータ（着物寸法修正用データ）をＷｅｂサーバ２に送信する（ステップ２０８）。
【００４７】
Ｗｅｂサーバ２は、クライアント端末１から受信した着物寸法修正用データを型紙データ生成サーバ３に送信する（ステップ２０９）とともに、ステップ２０３でクライアント端末１から受信した服飾デザイン選択情報（服飾デザイン識別情報を含む）およびステップ１０３で受信したＩＤ（利用者識別情報）をデータベースサーバ４に送信する（ステップ２１０）。
【００４８】
データベースサーバ４は、Ｗｅｂサーバ２から受信した服飾デザイン識別情報を検索用キーとしてデータベース４１ｂを検索し、該当する服飾デザインの標準の型紙データを取得するとともに、Ｗｅｂサーバ２から受信した利用者識別情報を検索用キーとしてデータベース４１ａを検索し、該当する利用者の採寸データを取得する（ステップ２１１）。そして、データベースサーバ４は、取得した標準の型紙データおよび採寸データを型紙データ生成サーバ３に送信する（ステップ２１２）。
【００４９】
型紙データ生成サーバ３は、データベースサーバ４から標準の型紙データおよび採寸データを受信すると、該受信した標準の型紙データを、該受信した採寸データおよびステップ２０９で受信した着物寸法修正用データに基づいて修正する（ステップ２１３）。こうして修正された型紙データは、Ｗｅｂサーバ２からクライアント端末１に送信される（ステップ２１４、２１５）。クライアント端末１は、Ｗｅｂサーバ２から受信した型紙データに対して表示／印刷を行う（ステップ２１６）。
【００５０】
なお、ステップ２０２の後、利用者が、着物寸法修正用データ入力画面を選択せずに、型紙作成依頼のための決定ボタンを押下した場合は、型紙データ生成サーバ３は、単に、標準の型紙データを登録採寸データに基づいて修正した型紙データを、Ｗｅｂサーバ２を介してクライアント端末１に送信する。
【００５１】
上述した型紙データ作成／修正処理によれば、利用者は、自分が所持している端末上で、所望の服飾デザインを選択し、その選択した服飾デザインについて好みの着物寸法を入力するだけで、選択した服飾デザインの標準の型紙データが、自分の体形に適した型紙データに自動修正され、かつ、好みの着物寸法に自動修正される。このように、利用者は、自分の体形に適するように修正された型紙データを、さらに好みの着物寸法になるように、簡単に修正することができる。
【００５２】
型紙データを印刷する場合は、型紙データ作成サーバ３によって作成された型紙データに対し、用紙サイズを指定するようにしてもよい。この場合は、Ｗｅｂサーバ２が、型紙データを印刷する際の用紙サイズを指定するための用紙サイズ指定画面をクライアント端末１に提供する。クライアント端末１では、Ｗｅｂサーバ２から提供された用紙サイズ指定画面が表示される。用紙サイズ指定画面には、型紙データを印刷可能な複数のサイズの選択項目が用意されており、利用者が、いずれかの選択項目を指定すると、クライアント端末１が、その指定された項目に関する情報（用紙サイズ指定情報）をＷｅｂサーバ２に送信する。Ｗｅｂサーバ２は、クライアント端末１から受信した用紙サイズ指定情報に基づいて、型紙データ作成サーバ３によって作成された型紙データを指定されたサイズに分割してクライアント端末１に供給する。分割された型紙データのそれぞれは、互いに対応する部分の少なくとも一部に位置合わせ用の印が印刷されるようになっており、利用者は、印刷された分割型紙を、それぞれの位置合わせ用の印に基づいて張り合わせることで、元の１枚の型紙とする。
【００５３】
以上説明した本実施形態の型紙データ作成システムの構成および動作は、本発明の一例であり、適宜変更することができる。例えば、図１において、Ｗｅｂサーバ２、型紙データ生成サーバ３およびデーベースサーバ４は、それぞれ別のコンピュータシステムで構成されているが、１つのコンピュータシステムで構成するようにしてもよい。この場合は、ＬＡＮ６が不要となる。
【００５４】
また、図１中、クライアント端末１は１つしか示されていないが、複数のクライアント端末１がネットワーク５を介してＷｅｂサーバ２と接続されるようにしてもよい。
【図面の簡単な説明】
【００５５】
【図１】本発明の一実施形態である服飾デザインの型紙作成システムの概略構成を示すブロック図である。
【図２】図１に示す服飾デザインの型紙作成システムを構成するクライアント端末の概略構成を示すブロック図である。
【図３】図１に示す服飾デザインの型紙作成システムを構成するＷｅｂサーバの概略構成を示すブロック図である。
【図４】図１に示す服飾デザインの型紙作成システムを構成するデータベースサーバの概略構成を示すブロック図である。
【図５】図１に示す服飾デザインの型紙作成システムを構成する型紙データ生成サーバの概略構成を示すブロック図である。
【図６】図１に示す服飾デザインの型紙作成システムにおいて行われる採寸データ登録処理を説明するための図である。
【図７】図１に示す服飾デザインの型紙作成システムにおいて行われる型紙データ作成／修正処理を説明するための図である。
【符号の説明】
【００５６】
１  クライアント端末
２  Ｗｅｂサーバ
３  型紙データ生成サーバ
４  データベースサーバ
５  ネットワーク
６  ＬＡＮ
【図１】
2006139688.tif 000003
【図２】
2006139688.tif 000004
【図３】
2006139688.tif 000005
【図４】
2006139688.tif 000006
【図５】
2006139688.tif 000007
【図６】
2006139688.tif 000008
【図７】
2006139688.tif 000009